(57)【要約】【課題】  可愛く、アィティブな外観を有するデザインシューズの提供。【解決手段】  本考案は射出或いはモールディング方式で成形された片体を具え、該片体に動物、人物の顔、身体、及び立体状の眼、鼻、耳、口等の器官が形成され、これら片体に靴のアッパー材が組み合わされて形成された靴であり、更に靴の前部の立体形状、靴本体、後部のパターンに印刷された動物、人物のパターンにより可愛く、アクティブな外観を具備するものとされている。【選択図】        図２
0003108526.tif 000002
【実用新案登録請求の範囲】
【請求項１】
射出方式或いはモールディング方式で成形された片体が設けられ、該片体が、動物、人物の面部状に形成され、この面部に立体状の眼、鼻、耳、口等の立体状に突出する器官が形成され、これら片体がアッパー材と組み合わされて形成されたデザインシューズであり、デザインシューズの前部、前部下端及び後部の突出する立体部分により、アクティブな外観を具備するよう形成されたことを特徴とする、デザインシューズ。
【請求項２】
請求項１記載のデザインシューズにおいて、立体部分を有するよう成形された片体の立体部分に成形時に異なる色に形成されてリアルで可愛い外観を有するものとされたことを特徴とする、デザインシューズ。
【考案の詳細な説明】
【技術分野】
【０００１】
本考案は一種のデザインシューズの構造に係り、特に、アクティブでリアルで可愛らしい外観を有し、靴の価値感を高めたデザインシューズであり、室内室外で経常的に着用でき、室内の動物デザインのフエルトスロッパとは異なり、射出材の応用により雨天時に室外でも着用でき、着用する場所や気候に制限がない、デザインシューズに関する。
【背景技術】
【０００２】
一般に伝統的なデザインシューズ、特に幼児用の靴は、通常、アッパーに直接印刷方式で異なるパターンを現出するか、或いは高周波接合によりパターン片をアッパーに固定する方式で製造される。このような方式はアッパーにカラーを有するパターンを増設するだけであり、立体効果を現出できない。このためアッパーに貼り付けられた動物、人物或いはキャラクターパターンが比較的単調で珍しさがなく、アクティブな感覚を与えることはできず、理想的でない。
【考案の開示】
【考案が解決しようとする課題】
【０００３】
本考案の主要な目的は、一種のデザインシューズを提供することにあり、それは靴に立体感を有する動物、人物等のデザインを具備させ、靴を可愛く、アクティブな外観を有するものとして、靴の価値観を高めたものとする。
【０００４】
本考案のデザインシューズは、射出方式（或いはモールディング）で成形した片体が設けられ、該片体に、動物、人物の顔、身体、及び立体状の眼、鼻、耳、口等の器官が形成され、これら片体が一般のアッパー材料と組み合わされて靴が形成され、これにより製造された靴の前部、前部下端部分が立体の形状を呈するものとされる。
【０００５】
前述のデザインシューズにおいて、成形された立体片体は、成形過程中に異なる部分の異なる色が形成され、成形された動物、人物等のデザインが更にアクティブでリアルで、可愛さを有する外観を呈するものとされる。
【課題を解決するための手段】
【０００６】
請求項１の考案は、射出方式或いはモールディング方式で成形された片体が設けられ、該片体が、動物、人物の面部状に形成され、この面部に立体状の眼、鼻、耳、口等の立体状に突出する器官が形成され、これら片体がアッパー材と組み合わされて形成されたデザインシューズであり、デザインシューズの前部、前部下端及び後部の突出する立体部分により、アクティブな外観を具備するよう形成されたことを特徴とする、デザインシューズとしている。
請求項２の考案は、請求項１記載のデザインシューズにおいて、立体部分を有するよう成形された片体の立体部分に成形時に異なる色に形成されてリアルで可愛い外観を有するものとされたことを特徴とする、デザインシューズとしている。
【考案の効果】
【０００７】
本考案は射出或いはモールディング方式で成形された片体を具え、該片体に動物、人物の顔、身体、及び立体状の眼、鼻、耳、口等の器官が形成され、これら片体に靴のアッパー材が組み合わされて形成された靴であり、更に靴の前部の立体形状、靴本体、後部のパターンに印刷された動物、人物のパターンにより可愛く、アクティブな外観を具備するものとされている。
【考案を実施するための最良の形態】
【０００８】
図１、２に示されるように、本考案によると、射出方式（或いはモールディング）で成形した片体１が設けられ、該片体１は、動物、人物の面部状に形成され、この面部に立体状の眼１１、鼻１２、耳１３、口１４等の立体状に突出する器官が形成され、これら片体１が一般のアッパー材２と組み合わされてデザインシューズ１００が形成される。
【０００９】
前述の片体１及びアッパー２の組合せにより形成されたデザインシューズ１００は、片体１がデザインシューズの前部及び前部下端に置かれ、デザインシューズ１００が前部の立体設計、突出した特定の部分、且つ突出した部分の異なる色により、デザインがリアルでアクティブで、着用時に可愛らしいものとされる。図１の蝶のデザインでは、眼１１と口１４が突出し、アクティブで価値観を具備し、図２のシマウマのデザインでは、人の心を和ませる外観を有し、伝統的なパターン貼り付け方式による靴とは比較になるものではない。
【００１０】
図３から図１４を参照されたい。本考案の立体造形は任意の変化が可能で、且つ現実生活及び一般の習慣風俗、伝説を組み合わせることが可能で、そのうち、周知のネズミ、牛、虎、兎等の動物はいずれも靴の前部に設けられ、また想像上の動物である龍は現実生活中の動物ではないが、その造形も靴の前部に設けられ得る。また超現実のキャラクターも立体化成形され、可愛く、擬人化された模様が靴に現出され、靴に価値観を与え、市場での競争力を高める。
【００１１】
総合すると、本考案の靴は靴の前部と前部下端に射出成形された立体動物、人物或いはその他の形状が設けられることで、立体外観を有し、且つアクティブで可愛い外観を有するものとされ、ゆえに実用性と新規性を有している。
【図面の簡単な説明】
【００１２】
【図１】本考案の立体図である。
【図２】本考案の別の実施例の立体図である。
【図３】本考案の別の実施例の立体図である。
【図４】本考案の別の実施例の立体図である。
【図５】本考案の別の実施例の立体図である。
【図６】本考案の別の実施例の立体図である。
【図７】本考案の別の実施例の立体図である。
【図８】本考案の別の実施例の立体図である。
【図９】本考案の別の実施例の立体図である。
【図１０】本考案の別の実施例の立体図である。
【図１１】本考案の別の実施例の立体図である。
【図１２】本考案の別の実施例の立体図である。
【図１３】本考案の別の実施例の立体図である。
【図１４】本考案の別の実施例の立体図である。
【符号の説明】
【００１３】
１  片体                    １３  耳        １００  デザインシューズ
１１  眼                    １４  口
１２  鼻                    ２  アッパー
【図１】
0003108526.tif 000003
【図２】
0003108526.tif 000004
【図３】
0003108526.tif 000005
【図４】
0003108526.tif 000006
【図５】
0003108526.tif 000007
【図６】
0003108526.tif 000008
【図７】
0003108526.tif 000009
【図８】
0003108526.tif 000010
【図９】
0003108526.tif 000011
【図１０】
0003108526.tif 000012
【図１１】
0003108526.tif 000013
【図１２】
0003108526.tif 000014
【図１３】
0003108526.tif 000015
【図１４】
0003108526.tif 000016